(57)【要約】【課題】樹脂シートのしわの発生を抑制する電池用樹脂シートの加工装置および加工方法を提供する。【解決手段】隣接する第一吸着部３００および第二吸着部３１０で、送り出された樹脂シート３５０を吸着して、樹脂シートのしわの発生を抑制する吸着手段３００、３１０と、吸着手段に吸着された樹脂シートを第一吸着部と第二吸着部との間で切断する切断手段３２０と、を有する。【選択図】図３
2010211953.tif 000002
【特許請求の範囲】
【請求項１】
隣接する第一吸着部および第二吸着部で、送り出された樹脂シートを吸着して、前記樹脂シートのしわの発生を抑制する吸着手段と、
前記吸着手段に吸着された前記樹脂シートを前記第一吸着部と前記第二吸着部との間で切断する切断手段と、
を有する電池用樹脂シートの加工装置。
【請求項２】
前記第一吸着部上の切断された前記樹脂シートを吸着面で吸着し、前記第二吸着部上へ搬送する可動吸着手段をさらに有することを特徴とする請求項１に記載の電池用樹脂シートの加工装置。
【請求項３】
前記樹脂シートを支持しながら上下に可動可能な支持部を有し、前記支持部を通して前記樹脂シートを前記第一吸着部上へ送り出す送り出し手段をさらに有することを特徴とする請求項１または２に記載の電池用樹脂シートの加工装置。
【請求項４】
前記支持部は、前記可動吸着手段の前記吸着面と同じ高さを最上点として可動可能であることを特徴とする請求項３に記載の電池用樹脂シートの加工装置。
【請求項５】
前記支持部は、前記第一吸着部および前記第二吸着部の前記吸着する面と同じ高さ以下を最下点として可動可能であることを特徴とする請求項３または４に記載の電池用樹脂シートの加工装置。
【請求項６】
前記樹脂シートは、セパレータであることを特徴とする請求項１〜５のいずれかに記載の電池用樹脂シートの加工装置。
【請求項７】
隣接する第一吸着部および第二吸着部で、送り出された樹脂シートを吸着して、樹脂シートのしわの発生を抑制する吸着段階と、
前記吸着手段に吸着された前記樹脂シートを前記第一吸着部と前記第二吸着部との間で切断する切断段階と、
を有することを特徴とする電池用樹脂シートの加工方法。
【請求項８】
前記第一吸着部上の前記切断された前記樹脂シートを吸着面で吸着し、前記第二吸着部上へ搬送する吸着搬送段階をさらに有することを特徴とする請求項７に記載の電池用樹脂シートの加工方法。
【請求項９】
前記吸着搬送段階は、前記第一吸着部上の切断された前記樹脂シートを前記吸着面で吸着し、前記樹脂シートを前記第二吸着部上へ搬送する前に、前記樹脂シートを支持しながら前記第一吸着部上へ送り出した支持部を前記吸着面と同じ高さの最上点まで移動させることを特徴とする請求項８に記載の電池用樹脂シートの加工方法。
【請求項１０】
前記吸着段階は、前記樹脂シートを前記第二吸着部で吸着させ、前記第一吸着部で前記樹脂シートを吸着させる前に、前記樹脂シートを支持しつつ前記第一吸着部上へ送り出した支持部を前記一吸着部および前記第二吸着部の前記吸着する面と同じ高さ以下の最下点まで移動させることを特徴とする請求項７〜９のいずれかに記載の電池用樹脂シートの加工方法。
【請求項１１】
前記樹脂シートは、セパレータであることを特徴とする請求項７〜１０のいずれかに記載の電池用樹脂シートの加工方法。
【発明の詳細な説明】
【技術分野】
【０００１】
本発明は電池用樹脂シートの加工装置および加工方法に関する。
【背景技術】
【０００２】
近年、大気汚染や地球温暖化に対処するため、二酸化炭素量の低減が切に望まれている。自動車業界では、電気自動車（ＥＶ）やハイブリッド電気自動車（ＨＥＶ）の導入による二酸化炭素排出量の低減に期待が集まっており、これらの実用化の鍵を握るモータ駆動用二次電池の開発が盛んに行われている。
【０００３】
モータ駆動用二次電池としては、携帯電話やノートパソコン等に使用される民生用リチウムイオン二次電池と比較して極めて高い出力特性、および高いエネルギを有することが求められている。したがって、全ての電池の中で最も高い理論エネルギを有するリチウムイオン二次電池（一つの二次電池を単電池と称する）を直列に積層した双極型二次電池が注目を集めており、現在急速に開発が進められている。
【０００４】
電池用セパレータを切断する技術としては、帯状セパレータの巻き出し機構から巻き出されるセパレータを所定寸法に切断し間欠的に送り出す送り出し機構が開示されている（特許文献１）。
【先行技術文献】
【特許文献】
【０００５】
【特許文献１】特開２０００−３２３１１６号公報
【発明の概要】
【発明が解決しようとする課題】
【０００６】
しかし、電池用セパレータは金属と比較して導電性が低い材料からなるため、巻き出し機構から送り出す工程を含む切断装置では、セパレータは静電気を帯びる。また、電池用セパレータは薄く、しわが発生しやすい。そのため、セパレータを切断するときに、セパレータにしわが発生し、電池を組んだとき電気抵抗が増加するおそれがある。
【課題を解決するための手段】
【０００７】
上記課題を解決するために、本発明に係る電池用樹脂シートの加工装置は、吸着手段と、切断手段と、を有する。吸着手段は、隣接する第一吸着部および第二吸着部で、送り出された樹脂シートを吸着し、樹脂シートのしわの発生を抑制する。切断手段は、吸着手段に吸着された樹脂シートを第一吸着部と第二吸着部との間で切断する。
【発明の効果】
【０００８】
本発明に係る電池用樹脂シートの加工装置によれば、比較的導電性が低いセパレータや樹脂集電体といった樹脂シートをしわの発生を抑えながら切断できるため、電池に組んだときの電気抵抗の増加を抑制することができる。
【図面の簡単な説明】
【０００９】
【図１】本発明の実施形態に係る電池用樹脂シートの加工装置および加工方法によって加工された樹脂シートが用いられる積層型電池の外観図である。
【図２】図１に示す積層型電池の断面図である。
【図３】本実施形態に係る電池用樹脂シートの加工装置の構造を示す説明図である。
【図４】本実施形態に係る電池用樹脂シートの加工方法のフローチャートを示す図である。
【図５】本実施形態に係る電池用樹脂シートの加工方法を実施する際の樹脂シートの加工装置の動作を示す説明図である。
【発明を実施するための形態】
【００１０】
以下に、本発明に係る電池用樹脂シートの加工装置および加工方法について実施形態により詳細に説明する。樹脂シートとしては、導電性がより低い絶縁体からなるセパレータが最適である。そこで、以下、樹脂シートの例として双極型のリチウムイオン二次電池（以下、「積層型電池」と称する）に用いられるセパレータに関して説明するが、本発明はこれに限定されるものではない。すなわち、樹脂シートは、他の電池に用いられるセパレータや、電池に用いられる樹脂集電体であってもよい。なお、以下参照する図面では、積層型電池の構成要素の形状、厚さ等を誇張しているが、これは発明の理解を容易にするためである。
【００１１】
図１は、本発明の実施形態に係る電池用樹脂シートの加工装置および加工方法によって加工された樹脂シートが用いられる積層型電池の外観図である。図２は、図１に示す積層型電池の断面図である。
【００１２】
図１に示すように、積層型電池１０は、たとえば、長方形状の扁平な形状を有し、その両側部からそれぞれ電力を取り出すための正極タブ１１０Ａおよび負極タブ１１０Ｂが引き出される。発電要素１２０は、積層型二次電池１０の外装材（たとえば、ラミネートフィルム）１３０によって包まれ、その周囲は熱融着されており、正極タブ１１０Ａおよび負極タブ１１０Ｂを引き出した状態で密封される。
【００１３】
図２に示すように、積層型電池１０の発電要素１２０は、正極活物質層２１０と、負極活物質層２２０とが集電体２３０のそれぞれの面に形成された積層型電池用電極２６０を複数有する。各積層型電池用電極２６０は、電解質層２４０を介して積層されて発電要素１２０を形成する。
【００１４】
電解質層２４０は、セパレータに液体電解質またはゲル電解質を保持させてなる。セパレータは、正極活物質層２１０と負極活物質層２２０の間に介在して両活物質層の接触に伴う短絡を防止する機能と、電解質を保持して導電性を確保する機能と、を有する。セパレータとしては、例えば、上記電解質を吸収保持する樹脂からなる多孔性シートや樹脂フィルム、および不織布を挙げることができる。
【００１５】
集電体２３０は、導電性を有する薄膜であり、アルミニウム箔、ステンレス箔、ニッケルとアルミニウムのクラッド材、銅とアルミニウムのクラッド材、あるいはこれらの金属の組み合わせのめっき材からなってもよいがこれらに限定されない。例えば、集電体２３０は、樹脂集電体であってもよい。
【００１６】
樹脂集電体は、金属の集電体と比較して導電性が低いため、比較的静電気を帯びやすく、しわが発生しやすい。このため、セパレータと同じように、樹脂集電体の加工に本実施形態を適用することもできる。
【００１７】
隣接する正極活物質層２１０、電解質層２４０および負極活物質層２２０は、一つの単電池２００を構成する。したがって、積層型電池１０は、単電池２００が積層されてなる構成を有する。また、各集電体２３０のそれぞれ対向する面の外周には、隣接する集電体２３０間を絶縁するためのシール部材２５０を設ける。
【００１８】
次に、本実施形態に係る電池用樹脂シートの加工装置について説明する。
【００１９】
図３は、本実施形態に係る電池用樹脂シートの加工装置の構造を示す説明図である。本実施形態が適用される電池用樹脂シートにはセパレータおよび樹脂集電体を含む。
【００２０】
図３に示すように、本実施形態に係る電池用樹脂シートの加工装置は、第一吸着部３００、第二吸着部３１０、カッター３２０、可動吸着部３３０、テンションローラ３４０、セパレータ巻き出し機構３７０、ガイドローラ３８０、制御部３６０、からなりうる。
【００２１】
第一吸着部３００は、面状であり、セパレータ巻き出し機構３７０から支持部３４０を通じて送り出されたセパレータ３５０を吸着する機能を有する。吸着は、例えば、真空吸引によって行うことができる。すなわち、第一吸着部３００上に送り出されたセパレータ３５０と第一吸着部との間の外気を第一吸着部３００全面で継続的に吸引することで第一吸着部３００とセパレータ３５０との間を真空に近づける。これにより、第一吸着部３００がセパレータ３５０を吸着してもよい。第一吸着部３００は水平に設置することが望ましい。
【００２２】
第二吸着部３１０は、第一吸着部３００と同様に面状で、セパレータ３５０を全面で吸着する機能を有する。第一吸着部３００と第二吸着部３１０とは互いに隣接させて配置する。すなわち、面状を有する第一吸着部３００および第二吸着部３１０を水平かつ同じ高さに設置する。これにより、セパレータ３５０が第一吸着部３００と第二吸着部３１０にまたがった状態になったときでもセパレータ３５０の形状を段差のない面状とすることができる。
【００２３】
カッター３２０は、セパレータ３５０を切断する機能を有する。カッター３２０は、第一吸着部３００および第二吸着部３１０に対し垂直、かつ、第一吸着部３００と第二吸着部３１０との間、に配置する。そして、カッター３２０は、垂直下方に移動することでセパレータ３５０を第一吸着部３００と第二吸着部３１０との間で切断することができる。第一吸着部３００と第二吸着部３１０との間には、カッターの磨耗を防止するためのカッター受け３２１を設けてもよい。
【００２４】
可動吸着部３３０は、吸着面３３１、支持体３３３、支持棒３３２とからなりうる。可動吸着部３３０は、吸着面３３１を第一吸着部３００または第二吸着部３１０と対面させながら吸着面３３１を垂直方向に移動させることができる。
【００２５】
これにより、吸着面３３１を下降させ、第一吸着部３００と共にセパレータ３５０を挟み込んだ状態とする。この状態で吸着面３３１を真空引きすることで、接着面３３１はセパレータ３５０を吸着することができる。
【００２６】
また、吸着面３３１でセパレータ３５０を吸着させたまま吸着面３３１を上昇させることでセパレータ３５０を上方へ移動させることができる。
【００２７】
ここで、可動吸着部３３０の吸着面３３１の上昇速度を下降速度より遅くすることが望ましい。これにより、セパレータの応力集中を緩和し、破損を抑制することができる。
【００２８】
このような吸着面３３１の移動は、吸着面３３１を支持する支持体３３３と、支持体３３３を支持する支持棒３３２と、のいずれか一方に駆動源を、他方に従動体を設けることで実現できる。
【００２９】
さらに、可動吸着部３３０は、吸着面３３１を水平方向へ移動させることができる。これにより、セパレータ３５０を吸着させたまま、吸着面３３１を第一吸着部３３１上方から第二吸着部３１０上方まで移動させることができる。このような吸着面３３１の移動は、吸着面３３１を支持する支持体３３３と、支持体３３３を支持する支持棒３３２と、のいずれか一方に駆動源を、他方に従動体を設けることで実現できる。可動吸着部３３０で、吸着させながらセパレータを移動させることで、移動時においてもしわを発生しにくくすることができる。
【００３０】
テンションローラ３４０は、セパレータ３５０を支持しながら垂直方向に上下に移動することができる。セパレータ３５０を支持しながら垂直方向に上下に移動させることで、第一吸着部３３１上の、もしくは、第一吸着部３３１上から第二吸着部３１０上にまたがったセパレータ３５０に生じさせる張力を調整することができる。テンションローラ３４０は、可動吸着部３３０の吸着面３３１と同じ高さを最上点とし、第一吸着部および第二吸着部と同じ高さ以下を最下点として可動可能とする。
【００３１】
テンションローラ３４０を最上点に位置させることにより、可動吸着部３３０がセパレータ３５０を吸着させて上方へ移動させた状態でも、セパレータ３５０を水平に保つことができる。これにより、セパレータ３５０の張力を一定とすることができるため、しわの発生を抑制しつつセパレータ３５０を搬送することができる。また、全てのセパレータ３５０のしわの発生を抑制し、一定品質を保つことができる。例えば、支持部の上昇速度は５ｍｍ／ｓとすることができる。
【００３２】
また、セパレータ３５０を第二吸着部３１０上まで搬送した後、セパレータ３５０を第二吸着部３１０では吸着し、第一吸着部３００では吸着しない状態で、テンションローラ３４０を最下点に位置させることができる。これにより、セパレータ３５０の張力を一定にさせた状態で第一吸着部３００および第二吸着部３１０にセパレータ３５０を吸着させることができる。したがって、しわの発生を抑制しつつ第一吸着部３００および第二吸着部３１０にセパレータ３５０を吸着させることができる。また、全てのセパレータ３５０のしわの発生を抑制し、一定品質を保つことができる。
【００３３】
セパレータ巻き出し機構３７０は、セパレータ３５０を連続的に送り出す機能を有する。セパレータ巻き出し機構３７０は、例えば、セパレータ３５０を捲装したフープとフープを回転駆動するモータからなりうる。
【００３４】
ガイドローラ３８０は、セパレータ巻き出し機構３７０から送り出されたセパレータ３５０の走行を滑らかにするために設ける。
【００３５】
制御部３６０は、本実施形態に係る電池用樹脂シートの加工装置の構成要素である、第一吸着部３００、第二吸着部３１０、カッター３２０、可動吸着部３３０、テンションローラ３４０、セパレータ巻き出し機構３７０、ガイドローラ３８０を制御する。制御部３６０は、記憶装置を有し、記憶装置に記憶させたプログラムにより該構成要素を制御してもよい。制御部３６０が制御する各構成要素と制御部３６０との間に設ける信号線は、図面の簡略化のため省略した。
【００３６】
次に、本実施形態に係る電池用樹脂シートの加工方法について加工装置の動作とともに説明する。
【００３７】
図４は、本実施形態に係る電池用樹脂シートの加工方法のフローチャートを示す図である。図５は、本実施形態に係る電池用樹脂シートの加工方法を実施する際の電池用樹脂シートの加工装置の動作を示す説明図である。なお、図５においては、本実施形態の理解を容易にするため、樹脂シートの加工装置の各構成要素の寸法を一部誇張している。また、図５においては図の複雑化を回避するため符号の表示を省略した。
【００３８】
以下、本実施形態に係る電池用樹脂シートの加工方法について、図４のフローチャートのステップ番号を明示してステップ番号ごとに説明する。
【００３９】
[Ｓ５００]
第一吸着部にセパレータを吸着させる。
【００４０】
セパレータ巻き出し機構３７０から送り出されるセパレータ３５０を、ガイドローラ３８０、テンションローラ３４０を介して第一吸着部３００上に設置し、第一吸着部３００を真空吸引させることで第一吸着部３００にセパレータ３５０を吸着させる。図５のＡに、本ステップを実施したときのセパレータの加工装置の状態を示す。
【００４１】
なお、本ステップは、本実施形態を実施した結果として生じる状態である。すなわち、本実施形態は、第一吸着部３００および第二吸着部３１０でセパレータ３５０を吸着させた状態で、第一吸着部３００と第二吸着部３１０との間でセパレータ３５０を切断する（後述するステップＳ５０７参照）。そして、第二吸着部上３１０にある切断されたセパレータ３５０を回収することで、本ステップの状態となる。
【００４２】
本ステップにおいては、第一吸着部３００と可動吸着部３３０の吸着面３３１との距離は狭くする方が望ましい。こうすることで、次ステップにおける可動吸着部の移動距離を短縮できるため、工程時間を短縮し、生産性を向上することができる。例えば、第一吸着部３００と可動吸着部３３０の吸着面３３１との距離は、１０ｍｍとすることができる。
【００４３】
[Ｓ５０１]
可動吸着部にセパレータを吸着させる。
【００４４】
可動吸着部３３０を第一吸着部上３００に下降させ、可動吸着部３３０と第一吸着部３００とでセパレータ３５０を挟み込む状態にする。この状態で、可動吸着部３３０に真空吸引を開始させるとともに第一吸着部３００に真空吸引を解除させる。これにより、可動吸着部３３０にセパレータ３５０を吸着させることができる。
【００４５】
図５のＢに、本ステップを実施したときの電池用樹脂シートの加工装置の状態を示す。
【００４６】
[Ｓ５０２]
テンションローラを上昇させる。
【００４７】
テンションローラ３４０を最上点まで上昇させる。テンションローラ３４０の最上点は、次ステップＳ５０３で可動吸着部３３０を上昇させたときの吸着面３３１と同じ高さとする。
【００４８】
次ステップＳで５０３で可動吸着部を上昇させる前に、テンションローラ３４０を最上点に位置させることにより、その後、可動吸着部３３０がセパレータ３５０を吸着させて上方へ移動させた状態でも、セパレータ３５０を水平に保つことができる。これにより、セパレータ３５０の張力を一定とすることができるため、しわの発生を抑制しつつセパレータ３５０を搬送することができる。また、全てのセパレータ３５０のしわの発生を抑制し、一定品質を保つことができる。
【００４９】
図５のＣに、本ステップを実施したときの電池用樹脂シートの加工装置の状態を示す。
【００５０】
[Ｓ５０３]
可動吸着部でセパレータを搬送する。
【００５１】
まず、可動吸着部３３０を、セパレータ３５０を全面で吸着したまま第一吸着部３００の上方へ上昇させる。次に、可動吸着部３３０をセパレータ３５０を全面で吸着したまま第二吸着部３１０の上方へ水平移動させる。その後、可動吸着部３３０がセパレータ３５０を吸着したまま、可動吸着部３３０を第二吸着部上へ下降する。これにより、可動吸着部はセパレータを第一吸着部３００上から第二吸着部３１０上へ搬送する。
【００５２】
このように、吸着させながらセパレータ３５０を移動させるので、移動時においてもしわを発生しにくい。
【００５３】
図５のＤに、本ステップを実施しているときの電池用樹脂シートの加工装置の状態を示す。
【００５４】
[Ｓ３０４]
第二吸着部にセパレータを吸着させる。
【００５５】
前ステップで第二吸着部３１０上に搬送されたセパレータ３５０を、第二吸着部３１０に真空吸引させることで第二吸着部３１０全面にセパレータ３５０を吸着させる。なお、本ステップでは、第一吸着部３００にはセパレータ３５０を吸着させない。
【００５６】
図５のＥに、本ステップを実施したときの電池用樹脂シートの加工装置の状態を示す。
【００５７】
[Ｓ３０５]
テンションローラを下降させる。
【００５８】
テンションローラ３４０を最下点まで下降させる。テンションローラ３４０の最下点は、第一吸着部３００および第二吸着部３１０と同じ高さ以下の点とする。
【００５９】
本ステップでは、セパレータ３５０を第二吸着部３１０で吸着させ、第一吸着部３００では吸着させない状態で、テンションローラ３４０を最下点に位置させる。これにより、セパレータ３５０の張力を一定にさせた状態とすることができるため、次ステップＳ３０６において、しわの発生を抑制しつつ第一吸着部３００および第二吸着部３１０にセパレータ３５０を吸着させることができる。また、全てのセパレータ３５０のしわの発生を抑制し、一定品質を保つことができる。
【００６０】
図５のＦに、本ステップを実施したときの電池用樹脂シートの加工装置の状態を示す。
【００６１】
[Ｓ３０６]
第一吸着部にセパレータを吸着させる。
【００６２】
前ステップでテンションローラ３４０を下降させてセパレータ３５０の張力を一定にした状態のまま、第一吸着部３００全面にセパレータを吸着させる。これにより、しわの発生を抑制しつつ第一吸着部３００および第二吸着部３１０にセパレータ３５０を吸着させることができる。
【００６３】
図５のＧに、本ステップを実施したときの電池用樹脂シートの加工装置の状態を示す。
【００６４】
[Ｓ３０７]
セパレータを切断する。
【００６５】
前ステップでしわの発生を抑制しつつ第一吸着部３００および第二吸着部３１０にセパレータ３５０を吸着させた状態で、第一吸着部３００と第二吸着部３１０との間にカッター３２０を下降させることでセパレータを切断する。これにより、セパレータ３５０にしわが発生しないようにセパレータ３５０を切断できる。そのため、セパレータ３５０に生じたしわに起因する電池の電気抵抗の増加を抑制することができる。また、セパレータ３５０に破損やピンホールを発生させずにセパレータ３５０の加工をすることができる。また、装置によりしわの発生を抑制するため、不純物の混入を防止することができる。
【００６６】
以上、本実施形態に係る電池用樹脂シートの加工装置および加工方法について説明したが、本実施形態の第一吸着部は、本発明の第一吸着部および吸着手段に相当し、第二吸着部は、第二吸着部および吸着手段に相当する。カッターは切断手段に、可動吸着部は可動吸着手段に、吸着面は吸着面および可動吸着手段に、相当する。支持棒および支持体は可動吸着手段に相当する。テンションローラは支持部に、セパレータは樹脂シートに、セパレータ巻き出し機構は送り出し手段に、相当する。
【００６７】
＜実験結果＞
本実施形態に係る電池用樹脂シートの加工装置で加工したセパレータを使用した双極型二次電池と、従来の双極型二次電池とにつき、微小短絡試験の比較実験を行った。
【００６８】
本実施形態に係る電池用樹脂シートの加工装置で加工したセパレータを用いて双極型二次電池を１００個作製し、環境温度を２０℃として、作製した電池を充放電した。
【００６９】
従来の電池用樹脂シートの加工装置で加工したセパレータを用いて双極型二次電池を１００個作製し、環境温度を２０℃として、作製した電池を充放電した。
【００７０】
充放電を行った電池の容量値を計測し、設計値に対し±３％の範囲外の容量値となった電池を不良とし、歩留を求めた。
【００７１】
その結果、従来の双極型二次電池の歩留は８１％であったのに対し、本実施形態に係る加工装置によるセパレータを使用した電池の歩留は９８％であった。
【００７２】
本実験により、本実施形態に係る電池用樹脂シートの加工装置で加工したセパレータを使用した双極型二次電池の微小短絡試験における歩留向上効果が実証された。
【００７３】
以下に、本発明の実施形態に係る電池用樹脂シートの加工装置および加工方法の効果を示す。
・電池用樹脂シート（セパレータ、樹脂集電体）をしわが発生しないように切断できるため、電池に組んだときの電気抵抗の増加を抑制することができる。
・電池積層工程に組み込むことで、電池の一定品質を保ち、歩留、生産性を向上させることができる。
【符号の説明】
【００７４】
１０    積層型電池、
１１０Ａ    正極タブ、
１１０Ｂ    負極タブ、
１２０    発電要素、
１３０    外装材、
２００    単電池、
２１０    正極活物質層、
２２０    負極活物質層、
２３０    集電体、
２４０    電解質層、
２５０    シール部材、
２６０    電極、
３００    第一吸着部（第一吸着部、吸着手段）、
３１０    第二吸着部（第二吸着部、吸着手段）、
３２０    カッター（切断手段）、
３３０    可動吸着部（可動吸着手段）、
３３１    吸着面（吸着面、可動吸着手段）、
３３２    支持棒（可動吸着手段）、
３３３    支持体（可動吸着手段）、
３４０    テンションローラ（支持部）、
３５０    セパレータ（樹脂シート）、
３６０    制御部、
３７０    セパレータ巻き出し機構（送り出し手段）、
３８０    ガイドローラ。
【図１】
2010211953.tif 000003
【図２】
2010211953.tif 000004
【図３】
2010211953.tif 000005
【図４】
2010211953.tif 000006
【図５】
2010211953.tif 000007